(57)【要約】【課題】乗員の視界が狭められるのを抑制しつつ、車両の通常走行時に車両用シートの見栄えを良好に維持することができる乗員拘束装置を得る。【解決手段】乗員拘束装置１０は、車両用シート１２に着座した乗員Ｄの前方を車両幅方向外側に位置する一方側の肩部ＳＬから車両幅方向内側に位置する他方側の腰部にかけて斜めに配置されるショルダベルト２２Ｓを備えたシートベルト装置２０と、車両幅方向内側に位置する他方側の肩部ＳＲのシート後方かつシート上方に配置されて乗員Ｄの頭部Ｈを支持するヘッドレスト１６の一部を構成すると共に、車両の衝突が不可避であると判断された際に、下部に対して上部がシート前方へ回動されて他方側の肩部ＳＲに押し当てられる肩拘束部１８と、を有する。【選択図】図２
2017094923.tif 000002
【特許請求の範囲】
【請求項１】
車両用シートに着座した乗員の前方を車両幅方向外側に位置する一方側の肩部から車両幅方向内側に位置する他方側の腰部にかけて斜めに配置されるショルダベルトを備えたシートベルト装置と、
車両幅方向内側に位置する他方側の肩部のシート後方かつシート上方に配置されて乗員の頭部を支持するヘッドレストの一部を構成すると共に、車両の衝突が不可避であると判断された際に、下部に対して上部がシート前方へ回動されて前記他方側の肩部に押し当てられる肩拘束部と、
を有する乗員拘束装置。
【請求項２】
前記肩拘束部は、シート前方へ回動された傾倒位置でシート幅方向から見てシート上方側に湾曲されると共に後端部がヘッドレスト本体又はシートバックに回動可能に連結された円弧状の骨格部材と、前記傾倒位置における前記骨格部材の下方に設けられて前記他方側の肩部に押し潰される弾性体と、を含んで構成されている請求項１に記載の乗員拘束装置。
【請求項３】
前記傾倒位置において、前記骨格部材の前端部と前記弾性体との間には、前記他方側の肩部からの荷重を受けて変形するエネルギ吸収部材が設けられている請求項２に記載の乗員拘束装置。
【請求項４】
シート前方へ回動される前の起立位置の前記肩拘束部における前記頭部とシート幅方向に対向する部位は、シート上方から見てシート後方からシート前方へ向かうにつれてシート幅方向外側へ傾斜又は湾曲されている請求項１〜３の何れか１項に記載の乗員拘束装置。
【発明の詳細な説明】
【技術分野】
【０００１】
本発明は、乗員拘束装置に関する。
【背景技術】
【０００２】
乗員の肩部を拘束する装置として、特許文献１には、乗員が着座した際に左右両側に設けた肩保持アームを下げて両肩を拘束し、車両の衝突時に肩保持アームから肩部へ向けてエアバッグを膨出させる乗員拘束装置が開示されている。一方、特許文献２には、シートベルト（ショルダベルト）が掛けられた一方の肩部を側方から拘束する側部サポート部材と、他方の肩部を上方から拘束する上部サポート部材とを備えた乗員保護装置が開示されている。また、側部サポート部材及び上部サポート部材は、複数の指を備えた多関節機構によって構成されており、車両のロールオーバー時や側面衝突時に各指の関節が折り曲げられることで乗員の肩部を拘束している。
【先行技術文献】
【特許文献】
【０００３】
【特許文献１】特開２００９−０５６８３６号公報
【特許文献２】特開２００４−０３４８３７号公報
【発明の概要】
【発明が解決しようとする課題】
【０００４】
しかしながら、特許文献１に記載の技術では、運転時に乗員の頭部の両側方に肩保持アームが配置されるため、乗員の視界が狭められる可能性がある。一方、特許文献２に記載の技術では、側部サポート部材及び上部サポート部材がシートバックから常時突出された状態であるため、車両の通常走行時に車両用シートの見栄えを良好に維持する観点から改善の余地がある。
【０００５】
本発明は上記事実を考慮し、乗員の視界が狭められるのを抑制しつつ、車両の通常走行時に車両用シートの見栄えを良好に維持することができる乗員拘束装置を得ることを目的とする。
【課題を解決するための手段】
【０００６】
請求項１に記載の本発明に係る乗員拘束装置は、車両用シートに着座した乗員の前方を車両幅方向外側に位置する一方側の肩部から車両幅方向内側に位置する他方側の腰部にかけて斜めに配置されるショルダベルトを備えたシートベルト装置と、車両幅方向内側に位置する他方側の肩部のシート後方かつシート上方に配置されて乗員の頭部を支持するヘッドレストの一部を構成すると共に、車両の衝突が不可避であると判断された際に、下部に対して上部がシート前方へ回動されて前記他方側の肩部に押し当てられる肩拘束部と、を有する。
【０００７】
請求項１に記載の本発明に係る乗員拘束装置では、シートベルト装置を構成するショルダベルトによって車両用シートに着座した乗員の車両幅方向外側に位置する一方側の肩部が拘束される。また、車両幅方向内側に位置する他方側の肩部のシート後方かつシート上方には、肩拘束部が配置されている。そして、この肩拘束部は、車両の衝突が不可避であると判断された際に、下部に対して上部がシート前方へ回動されることで、ショルダベルトが掛けられていない他方側の肩部に押し当てられる。これにより、ショルダベルトで一方側の肩部が拘束され、肩拘束部で他方側の肩部が拘束されることとなり、車両の衝突時に乗員の上体がショルダベルトから抜けてシート前方やシート幅方向へ慣性移動するのを抑制することができる。また、車両の通常走行時には肩拘束部がシート前方へ回動されていないため、肩拘束部によって乗員の視界が狭められるのを抑制することができる。
【０００８】
さらに、肩拘束部は、シート前方へ回動される前の状態では、乗員の頭部を支持するヘッドレストの一部を構成している。これにより、車両の通常走行時に肩拘束部によって車両用シートの見栄えが悪化するのを抑制することができる。
【０００９】
請求項２に記載の本発明に係る乗員拘束装置は、請求項１の構成において、前記肩拘束部は、シート前方へ回動された傾倒位置でシート幅方向から見てシート上方側に湾曲されると共に後端部がヘッドレスト本体又はシートバックに回動可能に連結された円弧状の骨格部材と、前記傾倒位置における前記骨格部材の下方に設けられて前記他方側の肩部に押し潰される弾性体と、を含んで構成されている。
【００１０】
請求項２に記載の本発明に係る乗員拘束装置では、肩拘束部が傾倒位置へ回動された状態において、弾性体が円弧状の骨格部材と肩部との間で押し潰される。これにより、他方側の肩部が弾性体から反力を受けて、この他方側の肩部の拘束状態を良好に維持することができる。
【００１１】
請求項３に記載の本発明に係る乗員拘束装置は、請求項２の構成において、前記傾倒位置において、前記骨格部材の前端部と前記弾性体との間には、前記他方側の肩部からの荷重を受けて変形するエネルギ吸収部材が設けられている。
【００１２】
請求項３に記載の本発明に係る乗員拘束装置では、車両の前面衝突などの衝突時に乗員の上体がシート前方へ慣性移動した場合に、他方側の肩部から肩拘束部へ入力された荷重を受けてエネルギ吸収部材が変形される。これにより、肩拘束部へ入力された荷重の少なくとも一部をエネルギ吸収部材によって吸収することができる。
【００１３】
請求項４に記載の本発明に係る乗員拘束装置は、請求項１〜３の何れか１項の構成において、シート前方へ回動される前の起立位置の前記肩拘束部における前記頭部とシート幅方向に対向する部位は、シート上方から見てシート後方からシート前方へ向かうにつれてシート幅方向外側へ傾斜又は湾曲されている。
【００１４】
請求項４に記載の本発明に係る乗員拘束装置では、肩拘束部の回動時に、乗員の頭部が肩拘束部の回動軌道上に位置している場合であっても、回動途中の肩拘束部の傾斜又は湾曲された部位が頭部に当接し、頭部をシート幅方向内側へ押し戻しながら回動する。これにより、肩拘束部の回動が乗員の頭部に妨げられるのを抑制することができる。
【発明の効果】
【００１５】
以上説明したように、請求項１に記載の本発明に係る乗員拘束装置によれば、乗員の視界が狭められるのを抑制しつつ、車両の通常走行時に車両用シートの見栄えを良好に維持することができるという優れた効果を奏する。
【００１６】
請求項２に記載の本発明に係る乗員拘束装置によれば、エアバッグなどを用いることなく、簡易な構成で肩部を拘束することができるという優れた効果を奏する。
【００１７】
請求項３に記載の本発明に係る乗員拘束装置によれば、乗員がシート前方へ慣性移動する衝突形態において、乗員の保護性能を高めることができるという優れた効果を奏する。
【００１８】
請求項４に記載の本発明に係る乗員拘束装置によれば、乗員の頭部が肩拘束部の回動軌道上に位置している場合であっても、肩拘束部の回動が妨げられることなく、肩部を拘束することができるという優れた効果を奏する。
【図面の簡単な説明】
【００１９】
【図１】実施形態に係る乗員拘束装置が適用された車両用シートの上部を示す正面図であり、肩拘束部が起立位置に位置している状態を示す図である。
【図２】実施形態に係る乗員拘束装置が適用された車両用シートの上部を示す正面図であり、肩拘束部が傾倒位置に位置している状態を示す図である。
【図３】実施形態に係る乗員拘束装置を一部破断して示す、車両用シートの側面図であり、肩拘束部が起立位置に位置している状態を示す図である。
【図４】実施形態に係る乗員拘束装置を一部破断して示す、車両用シートの側面図であり、肩拘束部が傾倒位置に位置している状態を示す図である。
【図５】実施形態に係る乗員拘束装置を一部破断して示す、車両用シートの平面図であり、肩拘束部が起立位置に位置している状態を示す図である。
【発明を実施するための形態】
【００２０】
本発明の実施形態に係る乗員拘束装置１０について、図１〜図５に基づいて説明する。なお、各図に適宜記す矢印ＦＲ、矢印ＵＰは、車両用シート１２の前方向、上方向をそれぞれ示している。以下、単に前後、上下、左右の方向を用いて説明する場合は、特に断りのない限り、シート前後方向の前後、シート上下方向の上下、シート前後方向の前方を向いた場合の左右を示すものとする。また、本実施形態の車両用シート１２は、シート前後方向が車両の前後方向に一致され、シート上下方向が車両の上下方向に一致され、シート幅方向が車両幅方向に一致されている。そして、各図に適宜記す矢印ＯＵＴは、車両用シート１２が搭載された車両における車両幅方向の外側を示している。
【００２１】
（乗員拘束装置１０の全体構成）
図１に示されるように、本実施形態の乗員拘束装置１０が適用された車両用シート１２（以下、単に「シート１２」と称する。）は、図示しない自動車の車体における車両幅方向中央に対して左右何れか（本実施形態では左側）にオフセットして配置されている。また、シート１２は、シートバック１４を備えており、このシートバック１４の下端部は、図示しないシートクッションの後端部に回動可能に連結されている。また、シートバック１４の上端部には、ヘッドレスト１６が取り付けられている。
【００２２】
なお、各図では、保護すべき乗員のモデルとして衝突試験用のダミー（人形）がシート１２に着座した状態を図示している。ダミーは、例えばＷｏｒｌｄＳＩＤ（国際統一側面衝突ダミー：Ｗｏｒｌｄ  Ｓｉｄｅ  Ｉｍｐａｃｔ  Ｄｕｍｍｙ）のＡＭ５０（米国人成人男性の５０パーセンタイル）である。このダミーは、衝突試験法で定められた標準的な着座姿勢で着座しており、シート１２は、当該着座姿勢に対応した基準設定位置に位置している。以下、説明を分かり易くするために、ダミーを「乗員Ｄ」と称する。なお、乗員Ｄは、車両前方（シート前方）を向いて着座している。
【００２３】
ここで、シート１２には、乗員拘束装置１０が設けられている。本実施形態に係る乗員拘束装置１０は、ヘッドレスト１６の一部を構成する肩拘束部１８と、シートベルト装置２０とを含んで構成されている。本実施形態のシートベルト装置２０は、３点式のシートベルトとされており、一端がセンタピラーや後方のアッパバックパネルに設けられた図示しないリトラクタに引き出し可能に巻き取られたウェビング２２を備えている。
【００２４】
ウェビング２２は、リトラクタから延びて図示しないショルダアンカに巻き掛けられている。さらに、ウェビング２２は、乗員Ｄの前方に斜めに掛けられてショルダベルト２２Ｓを構成している。
【００２５】
ショルダベルト２２Ｓは、乗員Ｄの前方を車両幅方向外側に位置する左肩部ＳＬ（一方側の肩部）から右側の腰部にかけて斜めに配置されており、乗員Ｄの上体をシートバック１４に拘束している。また、ウェビング２２は、乗員Ｄの腰部のシート前方側でシート幅方向へ延在された図示しないラップベルトを含んで構成されており、ウェビング２２の他端は、シート１２の下部の図示しないアンカに固定されている。なお、本実施形態のシートベルト装置２０を構成するリトラクタは、車両の衝突が予知された際に、ウェビング２２を所定量巻き取って乗員Ｄの拘束力を高めるプリクラッシュシートベルトとされている。また、リトラクタは、車両の衝突時にウェビング２２を強制的に巻き取って拘束力を高めるプリテンショナ機構を備えている。
【００２６】
ここで、ショルダベルト２２Ｓが掛けられていない、車両幅方向内側に位置する右肩部ＳＲ（他方側の肩部）のシート後方かつシート上方には、肩拘束部１８が配置されている。肩拘束部１８は、ヘッドレスト本体２４と共に乗員Ｄの頭部Ｈ（以下、単に「頭部Ｈ」という場合がある）を支持するヘッドレスト１６を構成しており、ヘッドレスト本体２４の右側に設けられている。
【００２７】
また、肩拘束部１８は、下部に対して上部がシート前方へ回動可能に構成されており、図１に示される起立位置と図２に示される傾倒位置との間を相互に回動できるように構成されている。そして、傾倒位置で肩拘束部１８が乗員Ｄの右肩部ＳＲに押し当てられることで右肩部ＳＲを拘束する。
【００２８】
図５には、一部が破断された肩拘束部１８が起立位置に位置している状態のシート１２をシート上方から見た平面図が示されている。また、図５の二点鎖線は、肩拘束部１８を傾倒位置へ回動させた際における肩拘束部１８の外形を示している。この図５に示されるように、ヘッドレスト１６を構成するヘッドレスト本体２４は、乗員Ｄの頭部Ｈの後方をシート幅方向に延在されており、このヘッドレスト本体２４のシート左側の端部には、シート前方へ膨出された左膨出部２４Ａが形成されている。左膨出部２４Ａは、乗員Ｄの頭部Ｈを左側方から支持可能な形状に形成されている。また、左膨出部２４Ａにおける頭部Ｈと対向する部位には、シート上方から見てシート後方からシート前方へ向かうにつれてシート幅方向外側へ湾曲された湾曲面２４Ｂが形成されている。さらに、ヘッドレスト本体２４のシート右側の端部には、膨出部が設けられておらず、肩拘束部１８が配置されている。
【００２９】
ここで、ヘッドレスト本体２４は、シートバック１４に対してシート幅方向中央部分よりもシート左側へオフセットした位置に設けられている。そして、ヘッドレスト本体２４と肩拘束部１８とを含むヘッドレスト１６全体のシート幅方向中央部分が、シートバック１４のシート幅方向中央部分と一致するように構成されている。また、肩拘束部１８には、乗員Ｄの頭部Ｈを右側方から支持可能な右膨出部１８Ａが形成されている。右膨出部１８Ａは、左膨出部２４Ａと左右対称となる形状に形成されている。そして、右膨出部１８Ａにおける頭部Ｈとシート幅方向に対向する部位には、シート上方から見てシート後方からシート前方へ向かうにつれてシート幅方向外側へ湾曲された湾曲面１８Ｂが形成されている。
【００３０】
次に、肩拘束部１８の詳細な構成について説明する。なお、以下の説明において、傾倒位置における肩拘束部１８のシート前方側を先端側とし、肩拘束部１８のシート後方側を基端側とする。
【００３１】
（肩拘束部１８の構成）
図３に示されるように、肩拘束部１８は、骨格部材２６と、弾性体としての軟質パッド２８と、エネルギ吸収部材としての衝撃吸収パッド３０とを含んで構成されている。また、肩拘束部１８の外面は、ヘッドレスト本体２４と同様の表皮によって覆われている。骨格部材２６は、肩拘束部１８の内部に配置されており、この肩拘束部１８の骨格を構成している。また、骨格部材２６は、肩拘束部１８が起立位置に位置している状態で、シート幅方向から見てシート上下方向に延在されている。
【００３２】
ここで、骨格部材２６は、図３に示される起立位置において、肩拘束部１８の後部側の外形に沿ってシート後方側に湾曲された略円弧状に形成されている。このため、図４に示されるように、肩拘束部１８が傾倒位置に位置している状態では、骨格部材２６がシート幅方向から見てシート上方側に湾曲された略円弧状となっている。なお、ここでいう「湾曲」とは、連続する曲線によって形成された形状に限定されるものではなく、本実施形態の骨格部材２６のように、直線状の部位と屈曲部とを含んで円弧状に形成された構成を含む概念である。
【００３３】
骨格部材２６の基端部には、略円筒状の筒部２６Ｂが形成されており、この筒部２６Ｂには、回動軸３２が挿通されている。回動軸３２は、ヘッドレスト本体２４に回動可能に連結されており、この回動軸３２に筒部２６Ｂが固定されている。このため、回動軸３２の回動に伴って骨格部材２６が回動されるように構成されている。
【００３４】
また、回動軸３２には、図示しないトーションばねが取り付けられており、トーションばねの付勢力によって回動軸３２がヘッドレスト本体２４に対して傾倒位置へ回動する方向（図４の矢印Ａの方向）に付勢されている。さらに、図３に示される起立位置において、回動軸３２は、ロック機構によってトーションばねの付勢力による回動がロックされた状態となっている。そして、ロック機構は、制御部であるＥＣＵ（Ｅｌｅｃｔｒｏｎｉｃ  Ｃｏｎｔｒｏｌ  Ｕｎｉｔ）３４と電気的に接続されており、このＥＣＵ３４からの信号に基づいて作動されるように構成されている。
【００３５】
また、本実施形態の回動軸３２は、周知のラチェット機構によって傾倒位置へ回動する方向とは反対の方向（図４の矢印Ａとは反対方向）の回動が制限されている。このため、図４に示される傾倒位置において、乗員Ｄの右肩部ＳＲに肩拘束部１８が押し当てられた状態では、起立位置へ戻す方向へ回動できないように構成されている。また、乗員Ｄが肩拘束部１８から右肩部ＳＲを抜いた後、肩拘束部１８をオーバーストロークの位置まで矢印Ａの方向へ回動させることで、ラチェット機構による回動制限が解除され、肩拘束部１８を図３に示される起立位置まで戻すことができるようになっている。
【００３６】
起立位置における骨格部材２６の前方には、軟質パッド２８が設けられている。軟質パッド２８は、湾曲された骨格部材２６の内側に配置されており、弾性変形可能に構成されている。また、軟質パッド２８の先端側の端部２８Ａは、シート上方に突出されており、骨格部材２６の上端部よりも上方まで延在されている。さらに、図４に示されるように、傾倒位置では軟質パッド２８が骨格部材２６の下方に位置しており、肩拘束部１８が右肩部ＳＲに押し当てられることで、軟質パッド２８が押し潰されている（弾性変形されている）。
【００３７】
図４に示される傾倒位置において、骨格部材２６の先端部２６Ａ（前端部）と軟質パッド２８との間には、衝撃吸収パッド３０が設けられている。衝撃吸収パッド３０は、樹脂部材によって形成されており、骨格部材２６の先端部２６Ａの右肩部ＳＲと対向する部位に設けられている。本実施形態の衝撃吸収パッド３０は、骨格部材２６における右肩部ＳＲとシート前後方向に対向する部位から骨格部材２６に沿ってシート上方側かつシート後方側へ延在されている。そして、衝撃吸収パッド３０は、骨格部材２６及び軟質パッド２８の少なくとも一方に接着剤などによって固定されている。
【００３８】
ここで、衝撃吸収パッド３０は、肩拘束部１８が右肩部ＳＲに押し当てられた状態では変形しておらず、乗員Ｄの右肩部ＳＲから荷重を受けることによって変形される。例えば、図４の状態で車両の前面衝突などによって乗員Ｄの上体がシート前方側へ慣性移動しようとすると、右肩部ＳＲから衝撃吸収パッド３０へ荷重が入力され、衝撃吸収パッド３０が変形される。そして、右肩部ＳＲから肩拘束部１８へ入力された荷重の少なくとも一部が衝撃吸収パッド３０によって吸収される。
【００３９】
図３及び図４に示されるように、ＥＣＵ３４は、プリクラッシュセンサなどの衝突予知センサ３６と電気的に接続されている。また、ＥＣＵ３４は、衝突予知センサ３６からの信号に基づいて、自動車に対する各種形態の衝突（の発生又は不可避であること）を予測可能とされている。そして、ＥＣＵ３４は、衝突予知センサ３６からの信号に基づいて車両の衝突が不可避であると判断された際に、骨格部材２６の回動軸３２をロックしているロック機構を制御して、回動軸３２のロック状態を解除させる。これにより、トーションばねの付勢力によって回動軸３２が傾倒位置へ回動され、この回動軸３２と共に骨格部材２６が図４の矢印Ａの方向に回動される。このようにして、肩拘束部１８が起立位置から傾倒位置へ回動される。また、衝突予知センサ３６からの信号に基づいて車両の衝突が不可避であると判断された際には、シートベルト装置２０のリトラクタに設けられたモータ等によってウェビング２２が所定量巻き取られる。
【００４０】
なお、衝突予知センサ３６は、例えばウインドシールドガラスの上部における車幅方向中央付近に設けられた図示しないステレオカメラを含んで構成される。そして、このステレオカメラによって車両の前方側を撮影し、車両への衝突体を検出するようになっている。また、ステレオカメラによって検出された衝突体までの距離や車両と衝突体との相対速度などを測定し、測定データをＥＣＵ３４へ出力するようになっている。そして、ＥＣＵ３４は、ステレオカメラからの測定データに基づいて車両の衝突が不可避であるかどうかについて判断する。なお、衝突予知センサ３６をミリ波レーダなどによって構成してもよい。
【００４１】
また、ＥＣＵ３４は、衝突センサ３８と電気的に接続されている。そして、ＥＣＵ３４は、衝突センサ３８からの信号に基づいて車両の衝突を検知すると、図示しないリトラクタのプリテンショナ機構を作動させる。これにより、ウェビング２２が強制的に巻き取られて乗員Ｄの拘束力が高められる。また、衝突センサ３８からの信号に基づいてシート１２に収納された図示しないエアバッグなどの乗員保護装置が作動（膨張展開）されて乗員を保護する。
【００４２】
（作用並びに効果）
次に、本実施形態に係る乗員拘束装置１０の作用並びに効果について説明する。
【００４３】
本実施形態では、図１に示されるように、車両の通常走行時には、ショルダベルト２２Ｓによって乗員Ｄの左肩部ＳＬが拘束されている。また、肩拘束部１８は、ヘッドレスト１６の一部として機能しており、乗員Ｄの頭部Ｈを右側方から支持可能とされている。このようにして、肩拘束部１８は、シート前方へ回動される前の起立位置に位置している状態でヘッドレスト１６の一部を構成しているため、車両の通常走行時に肩拘束部１８によってシート１２の見栄えが悪化するのを抑制することができる。また、肩拘束部１８によって乗員Ｄの視界が狭められるのを抑制することができる。この結果、乗員Ｄの視界が狭められるのを抑制しつつ、車両の通常走行時にシート１２の見栄えを良好に維持することができる。
【００４４】
さらに、本実施形態では、図２に示されるように、車両の衝突が不可避であると判断された際に、肩拘束部１８が起立位置から傾倒位置へ回動されて乗員Ｄの右肩部ＳＲに押し当てられる。これにより、乗員Ｄの左肩部ＳＬがショルダベルト２２Ｓによって拘束されると共に、右肩部ＳＲが肩拘束部１８によって拘束される。この結果、車両の衝突時に乗員Ｄの上体がショルダベルト２２Ｓから抜けてシート前方やシート幅方向へ慣性移動するのを抑制することができる。
【００４５】
さらにまた、本実施形態では、図４に示されるように、肩拘束部１８が傾倒位置へ回動された状態において、軟質パッド２８が骨格部材２６と右肩部ＳＲとの間で押し潰されている。これにより、右肩部ＳＲが軟質パッド２８から反力を受けることで、右肩部ＳＲの拘束状態を良好に維持することができる。また、エアバッグなどを用いて右肩部ＳＲを拘束する構成と比較して、簡易な構成で右肩部ＳＲを拘束することができる。
【００４６】
また、本実施形態では、傾倒位置における骨格部材２６の先端部２６Ａの右肩部ＳＲと対向する部位に衝撃吸収パッド３０が設けられている。これにより、車両の前面衝突などの衝突時に乗員Ｄの上体がシート前方へ慣性移動した場合であっても、右肩部ＳＲからの荷重を衝撃吸収パッド３０によって吸収することができ、乗員の保護性能を高めることができる。
【００４７】
さらに、本実施形態では、図５に示されるように、シート前方へ回動される前の起立位置における肩拘束部１８の頭部Ｈとシート幅方向に対向する部位に湾曲面１８Ｂが形成されている。これにより、車両の衝突が不可避であると判断された際に、頭部Ｈが肩拘束部１８の回動軌道上に位置している場合であっても、回動途中の肩拘束部１８の湾曲面１８Ｂによって頭部Ｈがシート幅方向内側へ押し戻される。この結果、肩拘束部１８の回動が頭部Ｈに妨げられることなく、肩拘束部１８を傾倒位置まで回動させて右肩部ＳＲを拘束することができる。
【００４８】
以上、本発明の実施形態について説明したが、本発明は、上記実施形態に限定されるものでなく、その主旨を逸脱しない範囲内において実施することが可能であることは勿論である。例えば、上記実施形態では、肩拘束部１８を構成する骨格部材２６は、回動軸３２を介してヘッドレスト本体２４に回動可能に連結されていたが、これに限定されず、骨格部材２６をシートバック１４の上端部に回動可能に連結してもよい。
【００４９】
また、上記実施形態の肩拘束部１８は、車体における車両幅方向中央に対して左側にオフセットして配置された助手席のシート１２に適用されており、ショルダベルト２２Ｓが乗員Ｄの左肩部ＳＬから右側の腰部にかけて斜めに配置されていたが、これに限定されない。例えば、車体における車両幅方向中央に対して右側にオフセットして配置された運転席のシート１２に適用してもよい。この場合、ショルダベルト２２Ｓが乗員Ｄの右肩部ＳＲから左側の腰部にかけて斜めに配置されることとなる。そして、肩拘束部をヘッドレスト本体の左側に設けて乗員Ｄの左肩部ＳＬを拘束する構成とすれば、乗員Ｄの右肩部ＳＲをショルダベルト２２Ｓで拘束しつつ、左肩部ＳＬを肩拘束部で拘束することができる。
【００５０】
さらに、上記実施形態では、骨格部材２６と軟質パッド２８との間の空間の一部に衝撃吸収パッド３０を設けたが、これに限定されない。例えば、衝撃吸収パッド３０を骨格部材２６の先端部２６Ａから基端部の筒部２６Ｂまで連続して配置してもよい。この場合、車両の後面衝突などの衝突時に乗員Ｄの右肩部ＳＲからシート後方側へ作用する荷重の少なくとも一部を衝撃吸収パッド３０によって吸収することができる。
【００５１】
さらにまた、上記実施形態の軟質パッド２８及び衝撃吸収パッド３０の形状や材質については特に限定されない。例えば、軟質パッド２８は、傾倒位置で右肩部ＳＲに押し潰される弾性体であればよく、ゴムを含むパッドなどによって構成してもよい。また、衝撃吸収パッド３０は、乗員Ｄの右肩部ＳＲからの荷重を受けた際に変形して荷重を吸収できる部材であればよく、発泡樹脂などによって構成してもよい。
【００５２】
また、上記実施形態の肩拘束部１８には、シート上方から見てシート後方からシート前方へ向かうにつれてシート幅方向外側へ湾曲された湾曲面１８Ｂが形成されていたが、これに限定されない。例えば、シート上方から見てシート後方からシート前方へ向かうにつれてシート幅方向外側へ傾斜された傾斜面を形成してもよい。この場合も上記実施形態と同様の効果を有する。すなわち、肩拘束部１８の回動軌道上に頭部Ｈが位置している場合であっても、回動途中の肩拘束部１８に形成された傾斜面が頭部Ｈに当接し、この傾斜面によって頭部Ｈをシート幅方向内側へ押し戻すことで、右肩部ＳＲを拘束することができる。
【００５３】
さらに、上記実施形態では、図示しないトーションばねの付勢力によって回動軸３２を介して肩拘束部１８を回動させる構成としたが、これに限定されず、他の方法で肩拘束部１８を回動させてもよい。例えば、回動軸３２にモータを接続し、モータを駆動させることで回動軸３２を介して肩拘束部１８を回動させる構成としてもよい。
【符号の説明】
【００５４】
１０      乗員拘束装置
１２      車両用シート
１６      ヘッドレスト
１８      肩拘束部
２０      シートベルト装置
２２Ｓ    ショルダベルト
２４      ヘッドレスト本体
２６      骨格部材
２８      軟質パッド（弾性体）
３０      衝撃吸収パッド（エネルギ吸収部材）
Ｄ        乗員
Ｈ        頭部
ＳＬ      左肩部（一方側の肩部）
ＳＲ      右肩部（他方側の肩部）
【図１】
2017094923.tif 000003
【図２】
2017094923.tif 000004
【図３】
2017094923.tif 000005
【図４】
2017094923.tif 000006
【図５】
2017094923.tif 000007